(57)【要約】【課題】  倒立顕微鏡および正立顕微鏡の合焦制御を簡単に行なうことができるシステム顕微鏡を提供する。【解決手段】  標本３を載置するステージ２の下方から標本３の観察像を取得する対物レンズ４を含む観察光学系を有する倒立顕微鏡１００と、ステージ２の上方から標本３の観察像を取得する対物レンズ２８を含む観察光学系を有する正立顕微鏡２００を有し、倒立顕微鏡１００の観察光学系にＡＦ部を配置し、このＡＦ部での焦点検出結果に基づいて倒立顕微鏡１００および正立顕微鏡２００の観察光学系の合焦を制御する。【選択図】      図１
2006017814.tif 000002
【特許請求の範囲】
【請求項１】
標本を載置するステージと、
前記ステージの下方から前記標本の観察像を取得する観察光学系を有する倒立顕微鏡と、
前記ステージの上方から前記標本の観察像を取得する観察光学系を有する正立顕微鏡と、
前記倒立顕微鏡および正立顕微鏡の少なくとも一方の観察光学系に設けられた焦点検出手段と、
前記焦点検出手段の焦点検出結果に基づいて前記倒立顕微鏡および正立顕微鏡の観察光学系の合焦を制御する制御手段と
を具備したことを特徴とするシステム顕微鏡。
【請求項２】
前記倒立顕微鏡および正立顕微鏡は、それぞれの観察光学系の光軸方向相対位置を固定または可変可能にしたことを特徴とする請求項１記載のシステム顕微鏡。
【請求項３】
前記焦点検出手段は、前記標本のカバーガラス面に観察光学系を介して光を照射し、前記カバーガラス面からの反射光に応じた光量を検出するとともに、該光量の変化から合焦点を検出するようにしたものであることを特徴とする請求項１または２記載のシステム顕微鏡。
【請求項４】
前記制御手段は、前記倒立顕微鏡および正立顕微鏡での前記標本上の所望する合焦位置の情報を記憶し、前記焦点検出手段の焦点検出結果に基づいて前記合焦位置との差分を求め、該差分に基づいて前記倒立顕微鏡および正立顕微鏡の観察光学系の合焦を各別に制御することを特徴とする請求項３のシステム顕微鏡。
【請求項５】
前記倒立顕微鏡および正立顕微鏡のそれぞれの観察光学系の光軸方向相対位置を固定可能とする連結手段を有し、
制御手段は、前記倒立顕微鏡および正立顕微鏡の一方での前記標本上の所望する位置の合焦情報を記憶し、前記焦点検出手段の焦点検出結果に基づいて前記合焦位置との差分を求め、該差分に基づいて前記倒立顕微鏡および正立顕微鏡の一方の観察光学系の合焦を制御するとともに、前記連結手段を介して前記倒立顕微鏡および正立顕微鏡の他方の観察光学系の合焦を制御することを特徴とする請求項３のシステム顕微鏡。
【請求項６】
前記連結手段は、前記倒立顕微鏡および正立顕微鏡のそれぞれの観察光学系を光軸方向に移動可能とする焦準手段を同一の保持部材に設けたことを特徴とする請求項５記載のシステム顕微鏡。
【請求項７】
前記連結手段は、前記倒立顕微鏡および正立顕微鏡のそれぞれの観察光学系を光軸方向に移動可能とする焦準手段を伝達ベルトを介して連結可能としたことを特徴とする請求項５記載のシステム顕微鏡。
【請求項８】
前記連結手段は、さらにクラッチ手段を有し、前記伝達ベルトによる連結を切り離し可能にしたことを特徴とする請求項７記載のシステム顕微鏡。
【発明の詳細な説明】
【技術分野】
【０００１】
本発明は、倒立顕微鏡と正立顕微鏡を組み合わせてなるシステム顕微鏡に関するものである。
【背景技術】
【０００２】
従来、標本の下側から標本を観察する倒立顕微鏡をベースにして、標本の上側にも観察用の手段を配置して正立顕微鏡の構成も備えたシステム顕微鏡が知られている。このような顕微鏡は、標本を載置するステージを挟んで上下にそれぞれ対物レンズが配置され、上下それぞれ異なる検鏡法により標本の異なる箇所の観察を同時に行なうことができるようになっている。この場合、ステージの上側の対物レンズには、液浸対物レンズを使用し、ステージ下側の対物レンズには、液浸対物レンズでない通常のものもしくは油浸対物レンズが使用される。
【０００３】
ところが、このような顕微鏡は、標本の下側から標本を観察する倒立顕微鏡部と標本の上側から標本を観察する正立顕微鏡部が、それぞれ独立して構成されているため、標本に対する焦点合わせを各顕微鏡部ごとに各別に行なう必要があった。
【０００４】
そこで、従来、特許文献１に開示されるように、標本の下側から標本を観察する倒立顕微鏡部をベースにして、標本の上側からレーザ光線を照射して正立顕微鏡部としての観察を可能としたものにおいて、倒立顕微鏡部の下側対物レンズを下側観察光路に沿って移動させる下側回転焦準ノブと正立顕微鏡部の上側対物レンズを照明光路と一体的に上側観察光路に沿って移動させる上側回転焦準ノブの間をベルトを介して連結し、下側回転焦準ノブを回転することで上側回転焦準ノブを一体に回転させることで上下対物レンズの同焦高さを保持したまま観察位置高さ変更を可能にしたものが考えられている。
【特許文献１】特開２００２−５５２８２号公報
【発明の開示】
【発明が解決しようとする課題】
【０００５】
ところで、蛋白質などの生体物質を観察する場合、蛋白質の発現、反応、輝度変化を調べるのに、実験者は長時間の観察を必要としている。しかし、通常、光学顕微鏡は、様々な材料で構成され、それぞれの熱膨張も異なるため、これら熱膨張の違いによる熱たわみが必ず発生し、長時間の観察ではピント（合焦）ずれを発生する。
【０００６】
このことは、上述したような顕微鏡システムは、倒立顕微鏡部と正立顕微鏡部とで、それぞれ異なる条件によりピントずれを発生しているため、このピントずれが生じた状態で、下側回転焦準ノブと連動させて上側回転焦準ノブを回転させても、倒立顕微鏡部と正立顕微鏡部を同時にピント合わせすることはできない。
【０００７】
このため、検鏡者は、観察するたびにピントを合わせを手直しする必要があるが、上側対物レンズのピント合わせと下側対物レンズのピント合わせを手作業で別々に行う必要があり、このための作業が面倒になるなど、顕微鏡の操作性が悪いという問題があった。
【０００８】
本発明は上記事情に鑑みてなされたもので、倒立顕微鏡および正立顕微鏡の合焦制御を簡単に行なうことができるシステム顕微鏡を提供することを目的とする。
【課題を解決するための手段】
【０００９】
請求項１記載の発明は、標本を載置するステージと、前記ステージの下方から前記標本の観察像を取得する観察光学系を有する倒立顕微鏡と、前記ステージの上方から前記標本の観察像を取得する観察光学系を有する正立顕微鏡と、前記倒立顕微鏡および正立顕微鏡の少なくとも一方の観察光学系に設けられた焦点検出手段と、前記焦点検出手段の焦点検出結果に基づいて前記倒立顕微鏡および正立顕微鏡の観察光学系の合焦を制御する制御手段とを具備したことを特徴としている。
【００１０】
請求項２記載の発明は、請求項１記載の発明において、前記倒立顕微鏡および正立顕微鏡は、それぞれの観察光学系の光軸方向相対位置を固定または可変可能にしたことを特徴としている。
【００１１】
請求項３記載の発明は、請求項１または２記載の発明において、前記焦点検出手段は、前記標本のカバーガラス面に観察光学系を介して光を照射し、前記カバーガラス面からの反射光に応じた光量を検出するとともに、該光量の変化から合焦点を検出するようにしたものであることを特徴としている。
【００１２】
請求項４記載の発明は、請求項３記載の発明において、前記制御手段は、前記倒立顕微鏡および正立顕微鏡での前記標本上の所望する合焦位置の情報を記憶し、前記焦点検出手段の焦点検出結果に基づいて前記合焦位置との差分を求め、該差分に基づいて前記倒立顕微鏡および正立顕微鏡の観察光学系の合焦を各別に制御することを特徴としている。
【００１３】
請求項５記載の発明は、請求項３記載の発明において、前記倒立顕微鏡および正立顕微鏡のそれぞれの観察光学系の光軸方向相対位置を固定可能とする連結手段を有し、制御手段は、前記倒立顕微鏡および正立顕微鏡の一方での前記標本上の所望する位置の合焦情報を記憶し、前記焦点検出手段の焦点検出結果に基づいて前記合焦位置との差分を求め、該差分に基づいて前記倒立顕微鏡および正立顕微鏡の一方の観察光学系の合焦を制御するとともに、前記連結手段を介して前記倒立顕微鏡および正立顕微鏡の他方の観察光学系の合焦を制御することを特徴としている。
【００１４】
請求項６記載の発明は、請求項５記載の発明において、前記連結手段は、前記倒立顕微鏡および正立顕微鏡のそれぞれの観察光学系を光軸方向に移動可能とする焦準手段を同一の保持部材に設けたことを特徴としている。
【００１５】
請求項７記載の発明は、請求項５記載の発明において、前記連結手段は、前記倒立顕微鏡および正立顕微鏡のそれぞれの観察光学系を光軸方向に移動可能とする焦準手段を伝達ベルトを介して連結可能としたことを特徴としている。
【００１６】
請求項８記載の発明は、請求項７記載の発明において、前記連結手段は、さらにクラッチ手段を有し、前記伝達ベルトによる連結を切り離し可能にしたことを特徴としている。
【発明の効果】
【００１７】
本発明によれば、倒立顕微鏡および正立顕微鏡の合焦制御を簡単に行なうことができるシステム顕微鏡を提供できる。
【発明を実施するための最良の形態】
【００１８】
以下、本発明の実施の形態を図面に従い説明する。
【００１９】
（第１の実施の形態）
図１、図２は、本発明の第１の実施の形態にかかる顕微鏡フォーカス維持装置を適用したシステム顕微鏡の概略構成で、図１は、側面図、図２は、正面図である。
【００２０】
図において、１は顕微鏡本体で、この顕微鏡本体１には、ステージ２が固定されている。このステージ２上には標本３が載置されている。
【００２１】
ステージ２の下方には、観察光学系を構成する対物レンズ４が配置されている。対物レンズ４は、倍率の異なる複数本（図示例では３本）がレボルバ５に保持されている。レボルバ５は、回転操作可能になっていて、複数本の対物レンズ４を択一的に光軸Ｏ上に位置させるようになっている。
【００２２】
図３は、標本３の周辺部分を拡大して示すもので、ステージ２には開口部２ａが形成されている。この開口部２ａは、対物レンズ４がステージ２と干渉しないようにするためのものである。また、ステージ２には、開口部２ａ上に標本３が載置されている。この場合、標本３は、ディッシュ３ｃ底部に接着されたカバーガラス３ｂ上に細胞片３ａを載置したものである。なお、図中の２８は、後述する対物レンズである。
【００２３】
レボルバ５は、保持部材としてのレボルバ保持台６に保持されている。レボルバ保持台６には、顕微鏡本体１内部の図示しないラック・ピニオン機構を介して焦準手段としての回転焦準部７の回転焦準ノブ７ａが接続されている。回転焦準部７は、モータ７ｂを有していて、このモータ７ｂの回転軸を歯車７ｃを介して回転焦準ノブ７ａに連結し、回転焦準ノブ７ａを電動駆動可能にしている。モータ７ｂは、顕微鏡本体１の内部に配置されたもので、制御基板１ｃにケーブル１ｂを介して接続されている。制御基板１ｃは、モータ７ｂを回転駆動する不図示の駆動回路が設けられている。また、制御基板１ｃは、ケーブル１ｄを介してコネクタ１ａに接続されている。コネクタ１ａは、顕微鏡本体１の外装部に配置され、ケーブル２２を介して制御手段としての制御ユニット２１に接続されている。
【００２４】
これにより、制御ユニット２１からの制御指令がコネクタ１ａを介して制御基板１ｃに与えられると、制御基板１ｃの駆動回路により駆動されるモータ７ｂにより回転焦準ノブ７ａが回転し、この回転運動がラック・ピニオン機構を介してレボルバ保持台６の光軸Ｏ方向の直線運動に変換され、ステージ２と対物レンズ４の相対距離を変化させることで、標本３のピント合わせを可能にしている。勿論、回転焦準ノブ７ａは、外側からの検鏡者の手動操作により回転させることもできる。
【００２５】
なお、制御ユニット２１は、電源投入時にレボルバ５の位置を初期値として取得し、この初期値を基準としてレボルバ保持台６、レボルバ５、対物レンズ４のそれぞれの光軸Ｏ方向の座標値を取得して記録するような機能を有している。
【００２６】
レボルバ５の下方の光軸Ｏ上には、ミラーカセット１１が着脱可能に配置されている。このミラーカセット１１には、反射ミラー１２と不図示のダイクロイックミラーが着脱可能に設けられている。これら反射ミラー１２または不図示のダイクロイックミラーは、ミラーカセット１１を回転させることで、選択的に光軸Ｏ上に配置されるようになっている。図示例では、反射ミラー１２が光軸Ｏ上に位置されている。
【００２７】
反射ミラー１２への入射光路上には、照明光路を構成する投光管１０が配置されている。この投光管１０は、顕微鏡本体１の後側で光軸Ｏと垂直方向に沿って配置されている。
【００２８】
投光管１０には、ランプハウス８が設けられている。ランプハウス８には、照明光源としてランプ９が内蔵されている。このランプ９からの光線は、投光管１０を通ってミラーカセット１１内で光軸Ｏ方向と交わり、反射ミラー１２で反射されて標本３の下方から照射される。
【００２９】
反射ミラー１２の下方には、光軸Ｏに沿って対物レンズ４とともに観察光学系を構成する結像レンズ２５および反射ミラー２６が配置されている。これにより、標本３を出た光（観察像）は、対物レンズ４を通って平行光束となり、結像レンズ２５を透過して反射ミラー２６に入射される。
【００３０】
反射ミラー２６の反射光路には、標本３の観察像を観察するための観察鏡筒２３が配置されている。
【００３１】
観察鏡筒２３は、プリズム２７が内蔵され、また、接眼レンズ２４を有している。接眼レンズ２４は、反射ミラー２６で反射される標本３からの光が不図示のリレー光学系よりプリズム２７を介して入射し、検鏡者による目視観察を可能にしている。
【００３２】
以上の構成が倒立顕微鏡１００である。
【００３３】
一方、ステージ２の上方には、観察光学系を構成する対物レンズ２８が配置されている。対物レンズ２８は、倍率の異なる複数本（図示例では３本）がレボルバ２９に保持されている。レボルバ２９は、回転操作可能になっていて、複数本の対物レンズ２８を択一的に光軸Ｏ上に位置させるようになっている。
【００３４】
レボルバ２９は、アーム３０に着脱可能に保持されている。アーム３０は、光軸Ｏと直交する方向に配置されたものである。アーム３０は、焦準手段としての焦準ユニット３２を介して支柱３３に支持されている。支柱３３は、顕微鏡本体１上に、光軸Ｏ方向に沿って直立して設けられたもので、焦準ユニット３２を介してアーム３０を光軸Ｏ方向に沿って移動可能にしている。
【００３５】
焦準ユニット３２には、図示しないラック・ピニオン機構が設けられ、このラック・ピニオン機構を介して回転焦準部３１の回転焦準ノブ３１ａが接続されている。焦準ユニット３２は、モータ３１ｂを有していて、このモータ３１ｂの回転軸を歯車３１ｃを介して回転焦準ノブ３１ａに連結し、回転焦準ノブ３１ａを電動駆動可能にしている。モータ３１ｂには、ケーブル３２ｂを介して制御基板３２ｃが接続されている。制御基板３２ｃは、モータ３１ｂを回転駆動する不図示の駆動回路が設けられている。また、制御基板３２ｃは、ケーブル３２ｄを介してコネクタ３２ａに接続されている。コネクタ３２ａは、焦準ユニット阿附の外装部に配置され、ケーブル３５を介して制御ユニット２１に接続されている。
【００３６】
これにより、制御ユニット２１からの制御指令がコネクタ３２ａを介して制御基板３２ｃに与えられると、制御基板３２ｃの駆動回路により駆動されるモータ３１ｂにより回転焦準ノブ３１ａが回転し、この回転運動がラック・ピニオン機構を介してアーム３０の光軸Ｏ方向の直線運動に変換され、ステージ２と対物レンズ２８の相対距離を変化させることで、標本３のピント合わせを可能にしている。勿論、回転焦準ノブ３１ａは、外側からの検鏡者の手動操作により回転させることもできる。
【００３７】
なお、制御ユニット２１は、電源投入時にレボルバ２９の位置を初期値として取得し、この初期値を基準としてアーム３０、レボルバ２９、対物レンズ２８のそれぞれの光軸Ｏ方向の座標値を取得して記録するような機能を有している。
【００３８】
焦準ユニット３２には、固定ノブ３４が設けられている。この固定ノブ３４は、焦準ユニット３２を支柱３３上の任意の高さで固定するものである。
【００３９】
アーム３０上には、ミラーカセット３９が固定されている。このミラーカセット３９には、反射ミラー４０と不図示のダイクロイックミラーが着脱可能に設けられている。反射ミラー４０または不図示のダイクロイックミラーは、ミラーカセット３９を回転させることで、選択的に光軸Ｏ上に配置されるようになっている。図示例では、反射ミラー４０が光軸Ｏ上に位置されている。
【００４０】
反射ミラー４０への入射光路上には、照明光路を構成する投光管３８が配置されている。この投光管３８は、光軸Ｏと垂直方向に沿って配置されている。
【００４１】
投光管３８には、ランプハウス３６が設けられている。ランプハウス３６には、照明用光源としてランプ３７が内蔵されている。このランプ３７からの光線は、投光管３８を通って反射ミラー４０で光軸Ｏ方向に反射され、標本３の上方から照射される。
【００４２】
反射ミラー４０の上方（透過光路）には、観察鏡筒としての三眼鏡筒４１が着脱可能に設けられている。三眼鏡筒４１には、光軸Ｏに沿って対物レンズ２８とともに観察光学系を構成する結像レンズ４２と分割プリズム４３が内蔵されている。分割プリズム４３は、結像レンズ４２を透過した光路を２分割するものである。そして、分割プリズム４３で分割された一方の光路（反射光路）には、接眼レンズ４４が配置され、また、他方の光路（透過光路）には、カメラポート４５を介してカメラ４６が配置されている。
【００４３】
接眼レンズ４４は、結像レンズ４２より分割プリズム４３に入射し、分割プリズム４３で反射される標本３からの光（観察像）を目視観察できるようになっている。また、カメラ４６は、結像レンズ４２より分割プリズム４３に入射し、分割プリズム４３を透過される標本３からの光（観察像）を撮像できるようになっている。
【００４４】
以上の構成が正立顕微鏡２００である。
【００４５】
対物レンズ４とミラーカセット１１との間の光軸Ｏ上には、焦点検出手段としてオートフォーカス（以下、ＡＦと称する。）部が配置されている。このＡＦ部には、ＡＦヘッド固定板１３ａが設けられている。このＡＦヘッド固定板１３ａは、顕微鏡本体１に固定されたもので、ＡＦヘッド１９が着脱可能に取り付けられている。また、ＡＦヘッド固定板１３ａには、メスガイド１８が設けられている。このメスガイド１８には、オスガイド１６が設けられている。オスガイド１６は、メスガイド１８に沿って直線方向に移動可能になっている。この場合、オスガイド１６は、顕微鏡本体１の正面から見て前後方向に移動可能になっている。
【００４６】
オスガイド１６には、ミラー保持台１５が設けられている。このミラー保持台１５には、反射ミラー１４が保持されている。この反射ミラー１４は、オスガイド１６とともに移動するミラー保持台１５により対物レンズ４とミラーカセット１１との間の光軸Ｏ上に挿脱され、光軸Ｏ上に挿入された状態で、ＡＦヘッド１９の光軸１９０上にも位置するようになっている。つまり、この状態で、反射ミラー１４は、ＡＦヘッド１９の光軸１９０と光軸Ｏとの交差点に位置するようになっている。
【００４７】
なお、オスガイド１６とメスガイド１８の間には、不図示のクリック機構が設けられ、反射ミラー１４の光軸Ｏ上への挿入した状態と、光軸Ｏから退避した状態の、それぞれの位置決めを可能にしている。また、オスガイド１６には、レバー１７が設けられている。このレバー１７は、外側からの検鏡者により反射ミラー１４の光軸Ｏ上への挿脱を手動操作するためのものである。
【００４８】
ＡＦヘッド１９には、ケーブル２０を介して制御ユニット２１が接続されている。
【００４９】
図４は、ＡＦヘッド１９の内部の概略構成を示している。
【００５０】
図において、１９ａはＡＦヘッド外装部で、このＡＦヘッド外装部１９ａ内部には、レーザダイオード（以下、ＬＤと称する。）１９ｂが配置されている。また、ＬＤ１９ｂから発せられるレーザ光の光路上には、絞り１９ｃ、瞳分割絞り１９ｄおよび偏光ビームスプリッタ（以下、ＰＢＳと称する。）１９ｅが配置されている。ここで、絞り１９ｃは、円形の穴が空いたものである。瞳分割絞り１９ｄは、絞り１９ｃを通ったレーサ光の半分を遮光するものである。ＰＢＳ１９ｅは、光の偏光方向により反射、透過の特性を変化させるものである。
【００５１】
ＰＢＳ１９ｅを透過した光路には、反射ミラー１９ｆが配置されている。また、反射ミラー１９ｆの反射光路には、λ／４波長板１９ｈ、結像レンズ１９ｉが配置されている。λ／４波長板１９ｈは、光の偏光方向を変えるものであり、標本３（カバーガラス３ｂ）より反射された光をＰＢＳ１９ｅで反射させるために設置される。そして、結像レンズ１９ｉを透過した光軸１９０と光軸Ｏとの交差点上に上述した反射ミラー１４が挿脱可能に配置される。
【００５２】
標本３（カバーガラス３ｂ）から反射される光を結像レンズ１９ｉ、λ／４波長板１９ｈ、反射ミラー１９ｆを介してＰＢＳ１９ｅに入射させる。ＰＢＳ１９ｅの反射光路には、瞳分割絞り１９ｊ、反射ミラー１９ｇを介してフォトダイオード（以下、ＰＤと称する。）１９ｋが配置されている。瞳分割絞り１９ｊは、フレア等の迷光防止のために設けられるもので、瞳分割絞り１９ｄにより半円形に絞られたレーザ光を同じ半円形内で絞る構造になっている。ＰＤ１９ｋは、ＰＢＳ１９ｅで反射し、瞳分割絞り１９ｊを介して入射される光を受光し電気信号を出力するものである。また、ＰＤ１９ｋは、結像レンズ１９ｉに対してＬＤ１９ｂと光学的に共役な位置に配置されている。
【００５３】
次に、以上のように構成した第１の実施の形態の作用を説明する。
【００５４】
まず、倒立顕微鏡１００の検鏡では、ミラーカセット１１を操作して反射ミラー１２を光軸Ｏ上に位置させる。
【００５５】
この状態で、ランプ９を点灯すると、ランプ９を出た光線は、反射ミラー１２で反射し、対物レンズ４を介して標本３に照射される。
【００５６】
標本３を透過した光は、対物レンズ２８で平行光となり、結像レンズ４２を通って分割プリズム４３に入射する。そして、分割プリズム４３で２分割され、分割プリズム４３を反射した光は、接眼レンズ４４に入射し、検鏡者による目視観察が行われる。また、分割プリズム４３を透過した光は、カメラポート４５を介してカメラ４６に入射し撮像される。
【００５７】
ここで、ピント合わせ（合焦）を行なうには、手動もしくは制御ユニット２１の指令による制御基板３２ｃの駆動回路によりモータ３１ｂを駆動して回転焦準ノブ３１ａを回転させる。すると、不図示のラック・ピニオン機構を介してアーム３０が光軸Ｏ方向に移動し、ステージ２と対物レンズ２８との相対距離が変化し、標本３上の所望する位置へのピント合わせが行われる。
【００５８】
また、ミラーカセット１１により反射ミラー１２に代わって不図示のハーフミラー又はダイクロイックミラーを光軸Ｏ上に挿入した場合は、標本３から出た光（観察像）は、対物レンズ４で平行光となり、ダイクロイックミラーを透過し、結像レンズ２５を通って反射ミラー２６で斜め上方向に反射する。そして、不図示のリレー光学系を介して接眼レンズ２４に入射し、検鏡者による目視観察が行われる。
【００５９】
ここで、ピント合わせを行なうには、手動もしくは制御ユニット２１の指令による制御基板１ｃの駆動回路によりモータ７ｂを駆動して回転焦準ノブ７ａを回転させる。すると、不図示のラック・ピニオン機構を介してレボルバ保持台６を光軸Ｏ方向に移動し、ステージ２と対物レンズ４との相対距離が変化し、標本３上の所望する位置へのピント合わせが行われる。
【００６０】
この場合、このようにして標本３上の所望する位置へのピント合わせされた対物レンズ４、２８のそれぞれの光軸Ｏ方向の座標値は、制御ユニット２１に記憶される。
【００６１】
一方、正立顕微鏡２００の検鏡では、ミラーカセット３９を操作して反射ミラー４０を光軸Ｏ上に位置させる。
【００６２】
この状態で、ランプ３７を点灯すると、ランプ３７を出た光線は、反射ミラー４０で反射し、対物レンズ２８を介して標本３に照射される。
【００６３】
標本３を透過した光は、対物レンズ４で平行光となり、結像レンズ２５を通って反射ミラー２６で斜め上方向に反射する。そして、不図示のリレー光学系を介して接眼レンズ２４に入射し、検鏡者による目視観察が行われる。
【００６４】
ここで、ピント合わせを行なうには、手動もしくは制御ユニット２１の指令による制御基板１ｃの駆動回路によりモータ７ｂを駆動して回転焦準ノブ７ａを回転させる。すると、不図示のラック・ピニオン機構を介してレボルバ保持台６を光軸Ｏ方向に移動し、ステージ２と対物レンズ４との相対距離が変化し、標本３上の所望する位置へのピント合わせが行われる。
【００６５】
また、ミラーカセット１１により反射ミラー４０に代わって不図示のハーフミラー又はダイクロイックミラーが光軸Ｏ上に挿入した場合は、標本３から出た光は、対物レンズ２８で平行光となり、結像レンズ４２を通って分割プリズム４３に入射する。そして、分割プリズム４３で２分割され、分割プリズム４３を反射した光は、接眼レンズ４４に入射し、検鏡者による目視観察が行われる。また、分割プリズム４３を透過した光は、カメラポート４５を介してカメラ４６に入射し撮像される。
【００６６】
ここで、ピント合わせを行なうには、手動もしくは制御ユニット２１の指令による制御基板３２ｃの駆動回路によりモータ３１ｂを駆動して回転焦準ノブ３１ａを回転させる。すると、不図示のラック・ピニオン機構を介してアーム３０が光軸Ｏ方向に移動し、ステージ２と対物レンズ２８との相対距離が変化し、標本３上の所望する位置のピント合わせが行われる。
【００６７】
この場合、このようにして標本３上の所望する位置へのピント合わせされた対物レンズ４、２８のそれぞれの光軸Ｏ方向の座標値は、制御ユニット２１に記憶される。
【００６８】
次に、このようにして標本３上の所望する位置へピント合わせされた対物レンズ４、２８のそれぞれの合焦位置をＡＦ機能を用いて再現する方法を説明する。
【００６９】
この場合、レバー１７を操作して光軸Ｏ上に反射ミラー１４を挿入し、制御ユニット２１のＡＦスイッチ２１ａを押す。
【００７０】
この状態で、制御ユニット２１より制御指令が出され、制御基板１ｃの駆動回路によりモータ７ｂが駆動され、歯車７ｃを介して回転焦準ノブ７ａが回転される。これにより、不図示のラック・ピニオン機構を介してレボルバ保持台６が光軸Ｏ方向に移動する。
【００７１】
また、これと同時に、制御ユニット２１の指令を受けてＬＤ１９ｂからレーザ光が発せられる。レーザ光は、絞り１９ｃにより所望のビーム径に規制され、瞳分割絞り１９ｄにより半円形となってＰＢＳ１９ｅに入射する。ＰＢＳ１９ｅを透過したレーザ光は、反射ミラー１９ｆで反射されてλ／４波長板１９ｈにより偏光方向を変えられ、結像レンズ１９ｉを透過し、反射ミラー１４で反射し、標本３のカバーガラス３ｂに照射される。カバーガラス３ｂにより反射したレーザ光は、元の光路を辿って反射ミラー１４、結像レンズ１９ｉを通り、λ／４波長板１９ｈにより偏光方向を変えられ、反射ミラー１９ｆにより反射されＰＢＳ１９ｅに入射する。そして、ＰＢＳ１９ｅで反射したレーザ光は、フレア等の迷光防止のため設けられた瞳分割絞り１９ｊを通り、ミラー１９ｇで反射してＰＤ１９ｋに入射される。
【００７２】
この状態で、ＰＤ１９ｋからの受光量に応じた電気信号は、制御ユニット２１に送られる。制御ユニット２１は、レボルバ保持台６の光軸Ｏ方向の移動とともに変化するＰＤ１９ｋでの受光量が最大になったところを、標本３のカバーガラス３ｂ面に対物レンズ４のピント合った位置と判断し、レボルバ保持台６の光軸Ｏ方向の移動を停止する。これにより、対物レンズ４の標本３のカバーガラス３ｂに対するピント合わせが完了し、このときの対物レンズ４の光軸Ｏ方向の座標値が制御ユニット２１に記憶される。
【００７３】
次に、制御ユニット２１は、カバーガラス３ｂにピントが合っている対物レンズ４の位置座標値と、予め記憶されている標本３上の所望する位置にピント合わせされた対物レンズ４の光軸Ｏ方向の座標値の差分を求め、この差分値を記録する。
【００７４】
なお、制御ユニット２１は、上述したように標本３上の所望する位置にピント合わせされた対物レンズ４と２８のそれぞれの光軸Ｏ方向の座標値を記憶すると同時に、これらの差分を求め、この差分値も記録している。
【００７５】
その後、制御ユニット２１は、上述したカバーガラス３ｂにピントが合っている対物レンズ４の位置座標値と、標本３上の所望する位置にピント合わせされた対物レンズ４の光軸Ｏ方向の座標値との差分値を読み出す。そして、この差分値に応じて制御基板１ｃの駆動回路によりモータ７ｂを駆動し、歯車７ｃを介して回転焦準ノブ７ａを回転させ、不図示のラック・ピニオン機構を介してレボルバ保持台６を光軸Ｏ方向に移動させる。これにより、対物レンズ４の標本３上の所望する位置へのにピント合わせが再現される。
【００７６】
また、対物レンズ４のピント合わせを終えると同時に、制御ユニット２１は、標本３上の所望する位置にピント合わせされた対物レンズ４と２８の光軸Ｏ方向の座標値の差分値を読み出す。そして、この差分値に応じて制御基板３２ｃの駆動回路によりモータ３１ｂを駆動し、歯車３１ｃを介して回転焦準ノブ３１ａを回転させ、不図示のラック・ピニオン機構を介してアーム３０を光軸Ｏ方向に移動させる。これにより、対物レンズ２８も標本３上の所望する位置へのにピント合わせが再現される。
【００７７】
従って、このようにすれば、倒立顕微鏡１００側の対物レンズ４は勿論、正立顕微鏡２００側の対物レンズ２８についても、それぞれの所望する位置のピント合わせをＡＦ機能を用いて容易に再現することができる。この場合、倒立顕微鏡１００側の対物レンズ４について、ＡＦ機能により標本３のカバーガラス３ｂに対するピント合わせを行い、この位置を基準にして対物レンズ４および２８の標本３上の所望する位置へのピント合わせを行なうようにしているので、これら対物レンズ４および２８に対するピント合わせの再現を速やかに、精度よく行なうことができる。
【００７８】
また、通常、正立顕微鏡２００側の対物レンズ２８が液浸タイプの場合は、標本３の細胞片３ａ上にガラス面が配置されるため、ＡＦをかけることは困難であるが、上述した実施の形態の方法であれば、上側の対物レンズ２８が液浸タイプであってもＡＦに基づくピント合わせを行なうことができる。
【００７９】
（第１の実施の形態の変形例）
次に、第１の実施の形態の変形例を説明する。
【００８０】
図５は、第１の実施の形態の変形例の概略構成を示すもので、図１と同一部分には、同符号を付している。
【００８１】
この場合、レボルバ保持台６は、連結手段を構成しており、延出された端部６ａには、光軸Ｏ方向に沿って直立して支柱３３が一体に設けられている。支柱３３には、焦準ユニット３２を介してアーム３０が光軸Ｏ方向に沿って移動可能に設けられている。
【００８２】
また、レボルバ保持台６は、顕微鏡本体１内部の図示しないラック・ピニオン機構を介して回転焦準部７の回転焦準ノブ７ａが接続され、この回転焦準ノブ７ａの回転運動により光軸Ｏ方向の直線移動されるようになっている。
【００８３】
一方、ステージ２には、レボルバ保持台６がの光軸Ｏ方向の移動を許容するための開口部２ｂが設けられている。
【００８４】
その他は、図１と同様である。
【００８５】
このような構成において、倒立顕微鏡１００および正立顕微鏡２００による標本３の観察は、第１の実施の形態で述べたと同様して行われる。この場合、倒立顕微鏡１００では、接眼レンズ２４で観察しながら回転焦準ノブ７ａを操作し、レボルバ保持台６とともにレボルバ５および対物レンズ４を光軸Ｏ方向に移動させてピント合わせを行なう。そして、この操作で標本３上の所望する位置へピント合わせされた対物レンズ４の光軸Ｏ方向の座標値を制御ユニット２１に記憶させる。また、正立顕微鏡２００についても、回転焦準ノブ３１ａを操作し、アーム３０とともにレボルバ２９および対物レンズ２８を光軸Ｏ方向に移動させてピント合わせを行なう。
【００８６】
次に、このような観察により標本３上の所望する位置へピント合わせされた対物レンズ４、２８のそれぞれの位置をＡＦ機能を用いて再現するには、第１の実施の形態と同様に、制御ユニット２１より制御指令によりモータ７ｂを駆動し、レボルバ保持台６を光軸Ｏ方向に移動させるとともに、ＬＤ１９ｂからレーザ光を発生し、レーザ光を標本３のカバーガラス３ｂで反射させ、ＰＤ１９ｋにより受光する。このとき、レボルバ保持台６の光軸Ｏ方向の移動とともに変化するＰＤ１９ｋでの受光量が最大になったところを、標本３のカバーガラス３ｂ面に対物レンズ４のピント合った位置と判断する。そして、対物レンズ４の位置座標値と、予め記憶されている標本３上の所望する位置にピント合わせされた対物レンズ４の光軸Ｏ方向の座標値の差分を求め、この差分値に応じてレボルバ保持台６を光軸Ｏ方向に移動させる。これにより、対物レンズ４の標本３上の所望する位置へのピント合わせが再現される。
【００８７】
この場合、正立顕微鏡２００の支柱３３は、レボルバ保持台６に一体に固定されている。これにより、支柱３３に支持されるアーム３０は、レボルバ２９と対物レンズ２８をレボルバ保持台６の移動に連動させて移動させることができる。つまり、対物レンズ２８は、対物レンズ４との相対位置を保ったまま移動されるようになる。これにより、対物レンズ４の標本３上の所望する位置へのピント合わせと同時に、対物レンズ２８も標本３上の所望する位置へのピント合わせが再現される。
【００８８】
なお、アーム３０に設けられた焦準ユニット３２には、制御基板３２ｃとモータ３１ｂを具備しているので、制御ユニット２１からの指令により対物レンズ２８を単独で光軸Ｏ方向に移動させることは可能である。
【００８９】
従って、このようにすれば、倒立顕微鏡１００側の対物レンズ４について、ＡＦ機能により標本３のカバーガラス３ｂに対するピント合わせを行なうのみで、このときの対物レンズ４の移動に連動させて対物レンズ２８も標本３上の所望する位置にピント合わせすることができる。
【００９０】
この場合、焦準ユニット３２により対物レンズ２８を単独で光軸Ｏ方向に移動させ対物レンズ４と２８の相対位置を変化させても、上述した動作の実行により対物レンズ４の移動に連動させて対物レンズ２８も標本３上の所望する位置にピント合わせすることができる。
【００９１】
なお、第１の実施の形態は、上述した記載に留まらず、ＡＦ機能の動作により対物レンズ４および２８をそれぞれ動かせるような機構であればよく、例えば焦点検出方法としては、上述した瞳分割方式に限らず、予定合焦位置に対して共役な前後にピンホールとセンサを配慣し、それぞれのセンサの出力差を用いてＡＦ動作を行うピンホール方式を採用してもよい。また、ＡＦ部の動作を効率的にするためにオスガイド１６に沿ったメスガイド１８の移動を制御ユニット２１からの指令によりモータ駆動させる電動式に構成してもよい。また、ＡＦ部は、倒立顕微鏡１００側に設けたが、正立顕微鏡２００側に設けてもよく、倒立顕微鏡１００と正立顕微鏡２００側の両方に設けて対物レンズ４と２８のピント合わせを選択的に行なうようにしてもよい。
【００９２】
（第２の実施の形態）
次に、本発明の第２の実施の形態を説明する。
【００９３】
図６は、第２の実施の形態の変形例の概略構成を示すもので、図１と同一部分には、同符号を付している。
【００９４】
この場合、倒立顕微鏡１００の回転焦準部７は、モータ７ｂを有していて、このモータ７ｂの回転軸を歯車７ｃを介して回転焦準ノブ５０に連結し、回転焦準ノブ５０を電動駆動可能にしている。回転焦準ノブ５０には、以下述べる連結手段が設けられている。回転焦準ノブ５０は、図７（図８）に示すようにプーリ５０ａを有し、このプーリ５０ａには、伝達ベルト５１が架けられている。
【００９５】
顕微鏡本体１に直立してクラッチ手段としてのクラッチ部５２が設けられている。クラッチ部５２は、図７（図８）に示すように軸部５２ｆを有し、この軸部５２ｆの基端部に、プーリ５２ａが回転可能に設けられている。このプーリ５２ａには、伝達ベルト５１が架けられており、回転焦準ノブ５０の回転運動を伝達ベルト５１を介して伝達されるようになっている。また、クラッチ部５２は、軸部５２ｆのプーリ５２ａより先端部側に、他のプーリ５２ｄが回転可能に設けられている。このプーリ５２ｄは、軸部５２ｆに沿って僅かに移動するようになっている。また、プーリ５２ｄには、他の伝達ベルト５３が架けられている。
【００９６】
プーリ５２ａとプーリ５２ｄの間には、プーリ５２ａ側に下方クラッチ板５２ｂ、プーリ５２ｄ側に上方クラッチ板５２ｃがそれぞれ設けられている。これら下方クラッチ板５２ｂと上方クラッチ板５２ｃは、当接可能になっていて、プーリ５２ｄをプーリ５２ａ側に押圧することで互いに接触し、プーリ５２ａの回転力をプーリ５２ｄ側に伝達するようになっている。
【００９７】
軸部５２ｆの先端部には、ねじ部５２ｇが形成されている。このねじ部５２ｇには、固定ネジ５２ｅがねじ込まれている。この固定ネジ５２ｅは、ねじ込み量を調整することで、下方クラッチ板５２ｂと上方クラッチ板５２ｃの当接状態を設定するもので、固定ネジ５２ｅを十分にねじ込むことで、プーリ５２ｄをプーリ５２ａ側に押圧して下方クラッチ板５２ｂと上方クラッチ板５２ｃの間を当接し（図７参照）、プーリ５２ａの回転力をプーリ５２ｄ側に伝達可能とし、また、ねじ込みを緩めることで、プーリ５２ｄによるプーリ５２ａの押圧を弱め、下方クラッチ板５２ｂと上方クラッチ板５２ｃの間を離間させて（図８参照）、プーリ５２ａの回転力のプーリ５２ｄ側への伝達を解除するようになっている。
【００９８】
一方、正立顕微鏡２００は、支柱３３に焦準ユニット５５を介してアーム３０が光軸Ｏ方向に沿って移動可能に設けられている。焦準ユニット５５には、図示しないラック・ピニオン機構とともに、回転焦準部５４の回転軸を共有する粗動ノブ５４ａと微動ノブ５４ｂおよびこれら粗動ノブ５４ａと微動ノブ５４ｂの回転時の摩擦抵抗力を調整する力量調整ノブ５４ｃが設けられている。また、微動ノブ５４ｂは、図７（図８）に示すようにプーリ５４ｄを有している。そして、このプーリ５４ｄとクラッチ部５２のプーリ５２ｄの間には、伝達ベルト５３が架けられている。つまり、クラッチ部５２の下方クラッチ板５２ｂと上方クラッチ板５２ｃの間を当接し、プーリ５２ａの回転力をプーリ５２ｄ側に伝達している状態で、プーリ５２ｄの回転運動を伝達ベルト５３を介して微動ノブ５４ｂに伝達するようになっている。
【００９９】
このような構成においても、倒立顕微鏡１００および正立顕微鏡２００での標本３の観察は、第１の実施の形態で述べたと同様して行われる。この場合は、図８に示すようにクラッチ部５２の固定ネジ５２ｅを緩めて、下方クラッチ板５２ｂと上方クラッチ板５２ｃの間を離間させ、プーリ５２ａの回転力が伝達ベルト５３を介して微動ノブ５４ｂに伝わらないようにしている。
【０１００】
また、この場合も、倒立顕微鏡１００では、接眼レンズ２４で目視観察しながら回転焦準ノブ７ａを操作し、レボルバ保持台６とともにレボルバ５および対物レンズ４を光軸Ｏ方向に移動させてピント合わせを行なう。、そして、この操作で標本３上の所望する位置へピント合わせされた対物レンズ４の光軸Ｏ方向の座標値を制御ユニット２１に記憶させる。また、正立顕微鏡２００についても、接眼レンズ４４またはカメラ４６で観察しながら、回転焦準部５４を操作し、アーム３０とともにレボルバ２９および対物レンズ２８を光軸Ｏ方向に移動させてピント合わせを行い、この調整で標本３上の所望する位置へ対物レンズ２８のピント合わせを行なう。
【０１０１】
その後、図７に示すようにクラッチ部５２の固定ネジ５２ｅをねじ込み、下方クラッチ板５２ｂと上方クラッチ板５２ｃの間を当接させて、プーリ５２ａの回転力が伝達ベルト５３を介して微動ノブ５４ｂに伝達されるようにする。
【０１０２】
次に、このような観察により標本３上の所望する位置へピント合わせされた対物レンズ４、２８のそれぞれの位置をＡＦ機能を用いて再現するには、第１の実施の形態と同様に、制御ユニット２１より制御指令によりモータ７ｂを駆動し、回転焦準ノブ５０を回転させ、レボルバ保持台６を光軸Ｏ方向に移動させるとともに、ＬＤ１９ｂからレーザ光を発生し、レーザ光を標本３のカバーガラス３ｂで反射させ、ＰＤ１９ｋにより受光する。このとき、レボルバ保持台６の光軸Ｏ方向の移動とともに変化するＰＤ１９ｋでの受光量が最大になったところを、標本３のカバーガラス３ｂ面に対物レンズ４のピント合った位置と判断する。そして、対物レンズ４の位置座標値と、予め記憶されている標本３上の所望する位置にピント合わせされた対物レンズ４の光軸Ｏ方向の座標値の差分を求め、この差分値に応じてレボルバ保持台６を光軸Ｏ方向に移動させる。これにより、対物レンズ４の標本３上の所望する位置へのピント合わせが再現される。
【０１０３】
この場合、回転焦準ノブ５０は、伝達ベルト５１を介してクラッチ部５２のプーリ５２ａに連結されており、回転焦準ノブ５０の回転運動は、伝達ベルト５１を介してプーリ５２ａに伝えられ、さらに下方クラッチ板５２ｂと上方クラッチ板５２ｃを介してプーリ５２ｄに伝えられ、伝達ベルト５３を介して回転焦準部５４の粗動ノブ５４ａに伝えられる。
【０１０４】
これにより、アーム３０は、レボルバ２９と対物レンズ２８を回転焦準ノブ５０回転量、つまりレボルバ保持台６の移動量に連動させて移動させることができる。これにより、対物レンズ２８は、対物レンズ４との相対位置を保ったまま移動されるようになり、対物レンズ４の標本３上の所望する位置へのピント合わと同時に、対物レンズ２８も標本３上の所望する位置へのピント合わせが再現される。
【０１０５】
この場合、粗動ノブ５４ａを回転焦準ノブ５０の回転操作に連動させたくない場合は、クラッチ部５２の軸部５２ｆの固定ネジ５２ｅのねじ込みを緩め、下方クラッチ板５２ｂと上方クラッチ板５２ｃの間を離間させることによって連動を解除することができる。
【０１０６】
従って、このようにしても、倒立顕微鏡１００側の対物レンズ４について、ＡＦ機能により標本３のカバーガラス３ｂに対するピント合わせを行なうのみで、このときの対物レンズ４の移動に連動させて対物レンズ２８も標本３上の所望する位置にピント合わせすることができる。
【０１０７】
また、クラッチ部５２のの固定ネジ５２ｅを緩めて、下方クラッチ板５２ｂと上方クラッチ板５２ｃの間を離間させ、プーリ５２ａの回転力が伝達ベルト５３を介して微動ノブ５４ｂに伝わらないように設定するのみで、倒立顕微鏡１００と正立顕微鏡２００での標本３の観察をそれぞれ独立して行なうこともできる。
【０１０８】
なお、上述した第２の実施の形態は、上述した記載に留まらず、ＡＦ機能の動作により対物レンズ４および２８をそれぞれ動かせるような機構であればよく、例えば、対物レンズ２８の移動速度を速めるには、回転焦準ノブ５０の外径を大きくして粗動ノブ５４ａに連動させればよい。また、検鏡作業の効率的に行うためにクラッチ部５２を電磁クラッチにして制御ユニット２１で制御するような構造にしてもよい。また、倒立顕微鏡１００と正立顕微鏡２００のそれぞれの回転焦準部７と５４の間にクラッチ機構と減速機構を設けて観察者が選択的に回転量を調整できるようにしてもよい。
【０１０９】
その他、本発明は、上記実施の形態に限定されるものでなく、実施段階では、その要旨を変更しない範囲で種々変形することが可能である。
【０１１０】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【０１１１】
【図１】本発明の第１の実施の形態にかかるシステム顕微鏡の概略構成を示す図。
【図２】第１の実施の形態にかかるシステム顕微鏡の要部の概略構成を示す図。
【図３】第１の実施の形態の標本の周辺部分を拡大して示す図。
【図４】第１の実施の形態に用いられるＡＦヘッドの内部の概略構成を示す図。
【図５】本発明の第１の実施の形態の変形例の概略構成を示す図。
【図６】本発明の第２の実施の形態にかかるシステム顕微鏡の概略構成を示す図。
【図７】第２の実施の形態にかかるシステム顕微鏡の要部の概略構成を示す図。
【図８】第２の実施の形態にかかるシステム顕微鏡の要部の概略構成を示す図。
【符号の説明】
【０１１２】
Ｏ…光軸、１…顕微鏡本体、１ａ…コネクタ、１ｂ…ケーブル
１ｃ…制御基板、１ｄ…ケーブル
２…ステージ、２ａ、２ｂ…開口部、３…標本
３ａ…細胞片、３ｂ…カバーガラス
３ｃ…ディッシュ、４…対物レンズ
５…レボルバ、６…レボルバ保持台、６ａ…端部
７…回転焦準部、７ａ…回転焦準ノブ
７ｂ…モータ、７ｃ…歯車、８…ランプハウス
９…ランプ、１０…投光管
１１…ミラーカセット、１２…反射ミラー
１３ａ…ＡＦヘッド固定板
１４…反射ミラー、１５…ミラー保持台
１６…オスガイド、１７…レバー、１８…メスガイド
１９…ＡＦヘッド、１９ａ…ＡＦヘッド外装部
１９ｂ…ＬＤ、１９ｃ…絞り、１９ｄ、１９ｊ…瞳分割絞り
１９ｅ…ＰＢＳ、１９ｆ…反射ミラー、１９ｇ…反射ミラー
１９ｈ…λ／４波長板、１９ｉ…結像レンズ
１９ｋ…ＰＤ、１９０…光軸、２０…ケーブル
２１…制御ユニット、２１ａ…ＡＦスイッチ
２２…ケーブル、２３…観察鏡筒、２４…接眼レンズ
２５…結像レンズ、２６…反射ミラー
２７…プリズム、２８…対物レンズ、２９…レボルバ
３０…アーム、３１…回転焦準部、３１ａ…回転焦準ノブ
３１ｂ…モータ、３１ｃ…歯車、３２…焦準ユニット
３２ａ…コネクタ、３２ｂ…ケーブル、３２ｃ…制御基板
３２ｄ…ケーブル、３３…支柱、３４…固定ノブ
３５…ケーブル、３６…ランプハウス
３７…ランプ、３８…投光管、３９…ミラーカセット
４０…反射ミラー、４１…三眼鏡筒
４２…結像レンズ、４３…分割プリズム
４４…接眼レンズ、４５…カメラポート
４６…カメラ、５０…回転焦準ノブ、５０ａ…プーリ
５１…伝達ベルト、５２…クラッチ部、５２ａ…プーリ
５２ｂ…下方クラッチ板、５２ｃ…上方クラッチ板
５２ｄ…プーリ、５２ｅ…固定ネジ、５２ｆ…軸部、５２ｇ…ねじ部
５３…伝達ベルト、５４…回転焦準部
５４ａ…粗動ノブ、５４ｂ…微動ノブ
５４ｃ…力量調整ノブ、５４ｄ…プーリ
５５…焦準ユニット、１００…倒立顕微鏡、２００…正立顕微鏡
【図１】
2006017814.tif 000003
【図２】
2006017814.tif 000004
【図３】
2006017814.tif 000005
【図４】
2006017814.tif 000006
【図５】
2006017814.tif 000007
【図６】
2006017814.tif 000008
【図７】
2006017814.tif 000009
【図８】
2006017814.tif 000010